(57)【要約】【課題】              木質ペレット燃料を供給する燃料供給手段にシャッタ構成を設けて貯留空間に定量に充填した木質ペレット燃料を燃焼部に確実に供給することによって、燃焼量を細かく制御でき、しかも非常停止時には燃焼部と燃料供給手段との連通を遮断して安全面においても優れたる木質ペレット燃焼装置を提供する。【解決手段】          木質ペレット燃焼装置の燃料供給手段に、燃焼部との連通を妨げて木質ペレット燃料の供給を堰き止めるシャッタ構成と、そのシャッタ構成によって木質ペレットを充填させる貯留空間を設け、貯留空間に備えられた堆積量の検出手段によって木質ペレット燃料の供給開始姿勢を整え、シャッタ構成の開動作に伴なって定量的に木質ペレット燃料を供給する構成とした。【選択図】          図２
2007040542.tif 000002
【特許請求の範囲】
【請求項１】
木質ペレットを燃料とする木質ペレット燃焼装置において、燃料タンクから燃焼部に燃料を供給する燃料供給手段に、燃焼部との連通を妨げて、木質ペレット燃料の供給を堰き止めるシャッタ構成と、そのシャッタ構成によって木質ペレットを堆積させる貯留空間を備えたことを特徴とする、木質ペレット燃焼装置。
【請求項２】
燃料供給手段は、燃料タンクの下方から木質ペレット燃料を上昇搬送して燃焼部に供給するスクリューコンベアであって、
スクリューコンベア内部の搬送羽根の上端からスクリューコンベア内部空間の略上面までの空間を、シャッタ構成によって閉鎖された貯留空間としたことを特徴とする、請求項１記載の木質ペレット燃焼装置。
【請求項３】
燃料供給手段は、燃料タンクの下方から木質ペレット燃料を上昇搬送して燃焼部に供給するスクリューコンベアであって、
スクリューコンベアの排出口に隣接して、下方にシャッタ構成を備える貯留空間を備えたことを特徴とする、請求項１記載の木質ペレット燃焼装置。
【請求項４】
燃料供給手段によって、貯留空間には木質ペレット燃料が供給開始態勢を整え、シャッタ構成の稼動によって、燃焼部に適切に設定量の木質ペレット燃料を供給可能であることを特徴とする、請求項１、２又は請求項３記載の木質ペレット燃焼装置。
【請求項５】
貯留空間の木質ペレット燃料の供給開始態勢を整えられないことを感知して、警報を発するように構成したことを特徴とする、請求項１、２、３又は請求項４記載の木質ペレット燃焼装置。
【発明の詳細な説明】
【技術分野】
【０００１】
本発明は、流木及び間伐材や木質建材の粉砕物や、大鋸屑等を圧縮加工して成形した木質ペレットを燃料とする木質ペレット燃焼装置の燃料供給に関するものである。
【背景技術】
【０００２】
従来から燃焼装置・暖房機等の燃料として使用されている化石燃料の石油は、燃焼によって温室効果ガスとなる二酸化炭素を発生させ、地球温暖化の問題を招いている。一刻も早く、持続的に循環再生利用可能な燃料資源への転換が急務となっている。
【０００３】
そこで近年では、循環再生利用可能な有機性資源（バイオマス）を燃料として用いることで循環型社会の構築を確立しようと試みられ、特に今まで焼却処分されていた大鋸屑、間伐材、木質系建築廃材や流木等を燃焼燃料として一定の粒径の形状に圧縮成形して、燃焼装置・暖房機等の燃料に使用され始めている。例えば、実開昭５８−１９０３０１号公報（特許文献１）に記する固形燃料ストーブが公知となっている。
【０００４】
間伐材、建設発生木材、間伐材及び流木の粉砕物や、大鋸屑等を圧縮加工して粒状に成形された木質ペレットは、通常直径６ｍｍから８ｍｍの円柱の形状で長さは約１０ｍｍから２５ｍｍのものとされていて、その寸法自体にかなりの違いが見られる。また木質ペレットは、そのペレット化する木質の違いによってもその形状、長さは若干の違いが発生するものである。特に、杉の木のように成分にリグニンの含有量が少ない木質にあっては、ペレット化が容易ではなく、成形したペレットが細断されやすい特徴を持ち合わせているため、その形状、長さが一定とはなり難いものである。
【０００５】
従来の燃焼の燃料とされてきた化石燃料の石油は、液体状であるために燃焼量の制御がきめ細かく、また連続的に行え安定した燃焼を得ることが出来る利点を有しているものである。木質ペレットを燃焼燃料として使用する場合においても、均一にしかも連続的に定量の燃料を燃焼部に供給する事が重要であるが、その燃料の形状、長さの違いから均一に供給して安定燃焼させることは困難であった。
【０００６】
そこで特開２００４−１９１０１１号公報（特許公報２）のように、燃料タンクから燃焼部にペレット燃料を搬送する搬送手段のスクリューコンベア出口の羽根のピッチをほかの羽根のピッチより短くして、スクリューコンベア内に遅延した燃料を詰め、燃料供給量を一定量にしようとする構成は公知である。
【０００７】
しかも、スクリューコンベアの出口上部には羽根の傾斜を他の羽根と逆にした構成として、燃料がその上部のモータ部に到達しないで、燃料が安定的に供給できるペレット燃料燃焼装置も公知となっている。
【０００８】
【特許文献１】実開昭５８−１９０３０１号公報
【特許文献２】特開２００４−１９１０１１号公報
【発明の開示】
【発明が解決しようとする課題】
【０００９】
前掲の特許文献２においては、スクリューコンベアで上昇搬送されるペレット燃料のばらつきを、スクリューコンベアの出口方向の羽根のピッチが短い場所で遅延したペレット燃料を詰めるので、ある程度定量的に燃焼器に供給は可能であるが、スクリューコンベア内の排出部付近にもピッチが短くなったとしても搬送体の羽根自体は存在するので、スクリューコンベア内の断面全てを効率良くペレット燃料を貯留させることは不可能であって、羽根とペレット燃料の間に多くの空隙が発生し、ペレット燃料の充填率を上昇させる妨げとなっている。
【００１０】
また、木質ペレット燃料はそれぞれの長さに違いがあるため、長いペレット燃料がスクリューコンベアの投入口に投入された場合、ペレット燃料同士の間隙が大きくなっているため、投入口から投入されるペレット燃料の総量は少なくなってしまうと共に、いくらスクリューコンベアの排出口付近の羽根のピッチが短くなって燃料を詰める働きがあっても、ペレット燃料同士の配列によっては空間が大きく発生してしまう事となり、その間隙は狭まることなく燃焼器に投入されるので、安定してペレット燃料を定量的に供給できない場合が発生する。
【００１１】
そこで本発明では、燃焼部に木質ペレット燃料を供給する燃料供給手段に、燃焼部との連通を妨げて木質ペレット燃料の供給を堰き止めるシャッタ構成と、そのシャッタ構成によって木質ペレットを堆積させる貯留空間を設けて定量を充填し、シャッタ構成の稼動で定量に充填した木質ペレット燃料を燃焼部に確実に供給することによって、燃焼量を細かく制御できる木質ペレット燃焼装置を提供すると共に、非常停止時においても燃焼部と燃料供給手段との連通を遮断して安全面においても優れた木質ペレット燃焼装置を提供することを目的とする。
【課題を解決するための手段】
【００１２】
上記目的を達成させるため、本発明は請求項１ないし請求項５に係る木質ペレット燃焼装置を提案する。
【００１３】
即ち、請求項１記載の木質ペレットを燃料とする木質ペレット燃焼装置において、燃料タンクから燃焼部に燃料を供給する燃料供給手段に、燃焼部との連通を妨げて、木質ペレット燃料の供給を堰き止めるシャッタ構成と、そのシャッタ構成によって木質ペレットを堆積させる貯留空間を備えたことを特徴とするものである。
【００１４】
請求項２記載の木質ペレット燃焼装置は、請求項１記載の木質ペレット燃焼装置において、燃料供給手段は、燃料タンクの下方から木質ペレット燃料を上昇搬送して燃焼部に供給するスクリューコンベアであって、スクリューコンベア内部の搬送羽根の上端からスクリューコンベア内部空間の略上面までの空間を、シャッタ構成によって閉鎖された貯留空間としたことを特徴とするものである。
【００１５】
請求項３記載の木質ペレット燃焼装置は、請求項１記載の木質ペレット燃焼装置において、燃料供給手段は、燃料タンクの下方から木質ペレット燃料を上昇搬送して燃焼部に供給するスクリューコンベアであって、スクリューコンベアの排出口に隣接して、下方にシャッタ構成を備える貯留空間を備えたことを特徴とするものである。
【００１６】
請求項４記載の木質ペレット燃焼装置は、請求項１、２又は請求項３記載の木質ペレット燃焼装置において、燃料供給手段によって、貯留空間には木質ペレット燃料が供給開始態勢を整え、シャッタ構成の稼動によって、燃焼部に適切に設定量の木質ペレット燃料を供給可能であることを特徴とするものである。
【００１７】
請求項５記載の木質ペレット燃焼装置は、請求項１、２、３又は請求項４記載の木質ペレット燃焼装置において、貯留空間の木質ペレット燃料の供給開始態勢を整えられないことを感知して、警報を発するように構成したことを特徴とするものである。
【発明の効果】
【００１８】
本発明に係る木質ペレット燃焼装置によれば、燃料供給手段に燃焼部との連通を妨げて木質ペレット燃料の供給を堰き止めるシャッタ構成と、そのシャッタ構成によって木質ペレット燃料が充填する貯留空間によって、定量の木質ペレット燃料を貯留空間に堆積させることが可能となり、シャッタ構成の稼動によって、定量に貯留した木質ペレット燃料を燃焼部に確実に供給することによって、燃焼部の燃焼量を細かくまた確実に制御できるものである。
【００１９】
また、貯留空間には定量の充填を感知する検出手段を備えているので、燃料供給手段が稼動していても燃料を供給できない自体が発生しても、貯留空間に備えられた堆積量の検出手段によって木質ペレット燃料の供給開始態勢を整えられない状態を逸早く検知し、警報もしくは停止動作を取ることが出来るので安全性も備えるものである。さらにシャッタ構成は正常運転時の木質ペレット燃料を供給する動作を行う場合意外は常に閉状態にあるので、非常停止した場合の燃焼部からの炎若しくは燃焼風を木質ペレット燃料を貯留する貯留空間と断絶されているので、安全性も考慮されているものである。
【発明を実施するための最良の形態】
【００２０】
本発明の木質ペレット燃焼装置の実施の形態として、木質ペレットを燃料とするペレットストーブについて以下に説明を行う。
【００２１】
図１には、本発明の係る木質ペレット燃焼装置を例示するペレットストーブの概略断面図である。図２では、本発明の第１の実施の形態を示す燃料供給手段の断面図、図３には本発明の第２の実施の形態を示す燃料供給手段の断面図。図４には図３に示す第２の実施の形態の他例を示す断面図。図５には本発明の形態の実施のタイムチャート図である。
【００２２】
図１において、１はペレットストーブである。ａは木質ペレットであって、ペレットストーブ１内には木質ペレットａが燃焼する燃焼部２５を下部に備える燃焼室２と、その燃焼室２の中間部から上方にかけて、熱交換部５が設けられている。燃焼室２の上端には燃焼風排気口７が備えられ燃焼風Ｃを排風部６へ流通させている。燃焼室２は後壁３４と冷却空間１７を隔てて燃料タンク３を備え、燃料タンク３から燃焼室２へ木質ペレットａを供給する燃料供給手段４が燃料タンク３に密接して備えられている。図１に示す燃料タンク３はペレットストーブ１の上端までの空間を有していて、ペレットストーブ１の上面が扉となって燃料タンク３内に木質ペレットａが投入できる構成であると良い（図示せず）。
【００２３】
燃料タンク３の下端を構成する底面板１０が燃料供給手段４方向に向かって傾斜し、燃料供給手段４のスクリューコンベア８の投入口９に木質ペレットａが漏れなく投入できるようになっている。スクリューコンベア８の上端には燃焼部２５の燃焼皿１３上へ木質ペレットａを投入する投入シュート１１が配置され、この投入シュート１１には、燃料供給手段４と燃焼部２５の連通を妨げる動作を可能としたシャッタ構成３６が備えられているものである。尚スクリューコンベア８の動力はモータ２４の回転によって得られる。
【００２４】
燃焼室２の後壁３４と燃料タンク３及び燃料供給手段４との間の冷却空間１７には外気が流通するようになって、燃焼室２の燃焼熱を燃料タンク３及び燃料供給手段４に伝熱しないようになっている。
【００２５】
燃焼室２の下方の燃焼部２５では、投入シュート１１より流下した木質ペレットａが燃焼皿１３内で堆積燃焼し、燃焼皿１３の複数のスリット部１４を通過する空気によって連続燃焼するものである。更に、燃焼皿１３の後方には長細の筒内にヒータ１６を備え、長細筒内を通過する空気をヒータ１６によって高温（約２５０℃以上）にしてその高温の空気を木質ペレットａに当てることによって着火する構造の点火装置１５が備えられている。
【００２６】
燃焼皿１３のスリット部１４は、投入された木質ペレットａが落下しない開口幅を保って燃焼皿１３の略全面に前後左右どちらかの方向に長細形状に開口し、その細長形状に開口したスリット部１４から木質ペレットの燃焼後の灰が落下するようになっている。なおスリット部１４から落下する灰を堆積させる灰回収容器２９が燃焼皿１３の設置面を覆う範囲で設けられている。
【００２７】
図示はしていないが、燃焼皿１３の下方には、燃焼皿１３上に浮遊又は固着して固まった固体灰を除去するため、スリット部１４の開口部を回転体が通過して強制的に灰を下方に落下させる灰除去手段が設けられていてもよい。
【００２８】
燃焼室２の中間部から上方にかけて燃焼室２を前後に縦断する熱交換部５は、複数の放熱管１８からなり、外気を圧送ファン１９で放熱管１８内に強制的に供給し、熱交換をして温風吹き出し口２０から温風を機外に供給する。
【００２９】
燃焼室２の上端の熱風排気口７には、排風部６が備えられ、吸引ファン２１の吸引作用によって燃焼風Ｃを吸引し、排気ダクト２２から機外に燃焼風Ｃを排気している。なお、燃焼風Ｃに乗って排風部６に達する比重の軽い灰が機外への飛散を防止するために、排風部６にはサイクロン等の集塵装置を設けて集塵し、集塵装置を通過した燃焼風Ｃを吸引ファン２１から機外に排出する構成であると良い（図示せず）。
【００３０】
図１の２３は温度センサであって、排気ダクト２２又は吸引ファン２１の出入口のどちらかに備えられ、温度センサ２３・モータ２４・ヒータ１６・圧送ファン１９・吸引ファン２１及びシャッタ構成３６は制御部３１に繋がれ制御されている。
【００３１】
吸引ファン２１に動作によって外気が直接又は冷却空間１７を経由して燃焼部２５のスリット部１４及び点火装置１５の細長筒内を経由して燃焼室２内に達する。燃料タンク３からスクリューコンベア８を経由して燃焼室２内に木質ペレットａが投入され点火装置１５によって着火し、スリット部１４からの通風を受け、木質ペレットａは燃焼を行う。その後この燃焼風Ｃは熱交換部５で熱交換され燃焼風排気口７から吸引ファン２１を通過し、排気ダクト２２から機外に排出される。
【実施例１】
【００３２】
図２に示す燃料供給手段４のスクリューコンベア８は、コンベアケース２６の略中央にスクリュー軸２７を備えており、その底板２８と上板３０の軸受３２によってスクリュー軸２７はその上下左右方向の移動を固定されると共に、スクリュー軸２７の軸心を中心として容易に回転可能となっていて、その下端にモータ２４が備えられている。
【００３３】
スクリュー軸２７には、始端が投入口９より下方で底板２８から若干の距離をもって螺旋状の搬送羽根３３が取り付けられていて、その搬送羽根３３の上端は排出口３５の下面と同等か、その面より若干低く設けられている。
【００３４】
排出口３５付近には、燃料供給手段４のスクリューコンベア８内と燃焼部２５の連通を妨げるシャッタ構成３６が備えられ、その閉状態においてはスクリューコンベア８内の排出口３５の下面から上板３０までの空間の貯留空間３７を形成し、スクリュー軸２７の回転と搬送羽根３３の作用によって木質ペレットａは貯留空間３７に徐々に堆積し、充填され、充填量の検出手段である満量センサ３８の感知により、モータ２４を停止させて、木質ペレットａの供給開始態勢を整えているものである。そしてシャッタ構成３６の開状態即ち、木質ペレットａの供給開始によって木質ペレットａは投入シュート１１から燃焼部２５への良好な供給を妨げないように構成されている。なお、上板３０の満量センサ３８の取り付け位置によって貯留空間３７内に充填される木質ペレットａの容積が変更できるので、燃焼皿１３への投入量を調節できるように満量センサ３８の上下左右の変更が容易に行える構成であるものとする。さらに上板３０の一部に通気口１２を設けられているので、シャッタ構成３６の開状態において、吸引ファンの吸引作用によって、通気口１２から外気を取り入れ貯留空間３７の空間を通過し、投入シュート１１を経て燃焼室２にいたる風の流れを形成することが出来るので、その流れを利用することで、貯留空間３７に充填する木質ペレットａをより効率的に投入シュート１１に導くことが可能となるばかりか、塵埃の発生を防止することが可能である。
【実施例２】
【００３５】
図３に示す燃料供給手段４のスクリューコンベア８は、実施例１のスクリューコンベア８と同様に、略中央にスクリュー軸２７と、それを固定する軸受３２が底板２８と上板３０に設けられスクリュー軸２７の上下左右方向の移動の固定と、容易な回転を可能とし、その下端にモータ２４が備えられている。
【００３６】
スクリュー軸２７の上端には掻き出し羽根３９が、そして始端が投入口９より下方で底板２８から若干の距離をもって螺旋状の搬送羽根３３が掻き出し羽根３９の下端に接しない範囲で設けられている。スクリューコンベア８の排出口３５には投入シュート１１が隣接して備えられ、この投入シュート１１の中間にはシャッタ構成３６が備えられ、シャッタ構成３６が閉状態においては、燃料供給手段４のスクリューコンベア８内と燃焼部２５の連通を妨げるよう、そして開状態においては木質ペレットａの燃焼部２５への良好な供給を妨げないように設けられている。なお、投入シュート１１の上方の上板３０には満量センサ４１が備えられていて、この満量センサ４１の作動により、モータ２４を停止させるものである。
【００３７】
シャッタ構成３６が閉状態即ち、投入シュート１１の始端と燃焼部２５の連通を妨げた状態において、掻き出し羽根３９の回転部分の空間と、投入シュート１１の始端部とその上方の空間を貯留空間４０として構成し、満量センサ４１の作動まで搬送羽根３３によって木質ペレットａをコンベアケース２６内を上昇させ、掻き出し羽根３９によって投入シュート１１の始端側に堆積させて貯留空間４０に木質ペレットａの充填を行い、木質ペレットａ燃料の供給開始態勢を整えるものである。そしてシャッタ構成３６の開状態即ち、投入シュート１１の始端と燃焼部２５を連通状態とした場合に、貯留空間４０内の木質ペレットａが投入シュート１１から燃焼部２５へと流下する。
【００３８】
なお、実施例１と同様に、上板３０の満量センサ４１の取り付け位置によって貯留空間４０内に充填される木質ペレットａの容積が変更できるので、投入量を調節できるように満量センサ４１の上下左右の変更が容易に行える構成であるものであって、図４に示すように満量センサ４１を投入シュート１１の始端壁面に設けてもよく、この投入シュート１１の始端壁面に設けることで少量の木質ペレットａを定量的に投入することが可能となる。さらに上板３０の一部に通気口１２を設けられているので、シャッタ構成３６の開状態において、吸引ファンの吸引作用によって、通気口１２から外気を取り入れ貯留空間４０の空間を通過し、投入シュート１１を経て燃焼室２にいたる風の流れを形成することが出来るので、その流れを利用して貯留空間４０に充填する木質ペレットａをより効率的に投入シュート１１へ流下させることが可能となるばかりか、塵埃の発生を防止することが可能である。
【００３９】
図５には実施例１及び実施例２の燃料供給手段４を備えたペレットストーブ１のタイムチャートを示したものである。
【００４０】
ペレットストーブ１に電源が入らない状態においてはシャッタ構成３６は閉状態にあって、停電等による非常停止時のシャッタ構成３６に通電されない場合には閉状態を保つように構成されているものである。
【００４１】
運転開始と共にヒータ１６に通電し、通電が規定時間経過後に予熱完了と判断してモータ２４を稼動し、燃料タンク３内の木質ペレットａを搬送羽根３３が回転しスクリューコンベア８内を上昇させる。シャッタ構成３６が閉状態であるので、スクリューコンベア８の上方又は、投入シュート１１の始端で構成される貯留空間３７、４０に搬送羽根３３によって上昇した木質ペレットａが堆積を始める。そしてその堆積量が満量センサ３８、４１を作動させる範囲に達した場合に、貯留空間３７、４０に木質ペレットａの充填完了と判断し、モータ２４を停止させ木質ペレット燃料の供給開始態勢を整えて待機する。
【００４２】
そして設定時間後にシャッタ構成３６を開状態にし、貯留空間３７、４０に充填した木質ペレットａを投入シュート１１から燃焼部２５に流下させる。シャッタ構成３６は開状態を設定時間維持し、その後閉動作を行い完全に閉まりきったことを確認してから再度モータ２４を稼動させスクリュー軸２７と搬送羽根３３を回転させて貯留空間３７、４０に木質ペレットａの充填動作を行い、この一連の動作を繰り返すものである。
【００４３】
その後、設定時間後に吸引ファン２１を起動させ、燃焼皿１３上に前記の一連の燃料供給動作を繰り返すと共に、排気ダクト２２に設けられた温度センサ２３が、排気ダクト２２内を通過する燃焼風Ｃの温度を測定し、その温度が４５℃に達したことを確認して燃焼を検出したものとみなし圧送ファン２１を稼動させ、温度センサ２３の温度が設定温度より下降しなければ安定燃焼と判断してヒータ１６への通電を停止する。
【００４４】
ヒータ１６への通電の停止と、温度センサ２３の温度降下が発生しない状態を維持することで通常燃焼状態と判断し、燃料供給の一連の動作である貯留空間３７、４０から燃焼皿１３上に供給する木質ペレットａの供給間隔を調節することで燃焼量の調節及び熱風温度調節をおこなっている。本発明の実施例の装置によれば、燃料供給の間隔を３段階に調節できるようになっており、その供給量の調節に伴って吸引ファン２１の風量も３段階に制御される。燃料供給「大」では燃焼皿通気孔１４を上昇する風速は約２〜３ｍ/ｓ、「中」での風速は「大」の風速の約８０％、「小」での風速は「大」の風速の約７０％となっている。
【００４５】
そして停止動作においては、運転をＯＦＦにすることでモータ２４は停止し、シャッタ構成３６は閉状態を維持し、温度センサ２３が３５℃以下となった場合に消化と判断して、設定時間後に吸引ファン２１を停止して待機状態となる。
【００４６】
前記の貯留空間３７、４０はその内部に障害物となるものを有していないので、粒径の大きい木質ペレットａを略隙間無く充填させることが可能であるので、満量センサ３８、４１によって略定量を燃焼部２５に供給することが可能である。しかも満量センサ３８、４１を燃料供給手段４の上板３０に設けることによって、貯留空間３７、４０の容積が少なくともセンサが検知する範囲まで木質ペレット燃料を充填することが可能であるため、定量を効率よく供給開始態勢をとることが可能である。
【００４７】
なお、モータ２４が動作状態で搬送羽根３３によって木質ペレットａが貯留空間に充填動作を行っている場合に、設定時間を経過しても満量センサが感知しない状態においては、木質ペレット燃料の供給開始態勢を整えられないと判断し、燃料切れ若しくは、供給開始動作不備の警報を発して、木質ペレット燃料の補給及び、ペレットストーブ１自体の停止動作に移行するように構成されているものである。
【００４８】
更に、ペレットストーブ１自体が何らかの原因によって燃焼中に非常停止した場合においては、吸引ファン２１による燃焼風Ｃの吸引作用がなくなるので、燃焼皿１３上で燃焼する木質ペレットａの炎及び燃焼風Ｃの投入シュート１１への逆流現象が発生が考えられるが、本発明の実施によれば、燃焼室２５とコンベアケース２６及び貯留空間３７、４０をシャッタ構成３６で連通の無い状態で遮っているので、緊急の場合の安全性にも優れているものである。
【図面の簡単な説明】
【００４９】
【図１】本発明の係る木質ペレット燃焼装置を例示するペレットストーブの概略断面図。
【図２】本発明の第１の実施の形態を示す燃料供給手段の断面図。
【図３】本発明の第２の実施の形態を示す燃料供給手段の断面図。
【図４】図３に示す第２の実施の形態の他例を示す断面図。
【図５】本発明の形態の実施のタイムチャート図。
【符号の説明】
【００５０】
１  ペレットストーブ
２  燃焼室
３  燃料タンク
４  燃料供給手段
５  熱交換部
６  排風部
７  燃焼風排気口
８  スクリューコンベア
９  投入口
１０  底面板
１１  投入シュート
１２  通気口
１３  燃焼皿
１４  スリット部
１５  点火装置
１６  ヒータ
１７  冷却空間
１８  放熱管
１９  圧送ファン
２０  温風吹き出し口
２１  吸引ファン
２２  排気ダクト
２３  温度センサ
２４  モータ
２５  燃焼部
２６  コンベアケース
２７  スクリュー軸
２８  底板
２９  灰回収容器
３０  上板
３１  制御部
３２  軸受
３３  搬送羽根
３４  後壁
３５  排出口
３６  シャッタ構成
３７  貯留空間
３８  満量センサ
３９  掻き出し羽根
４０  貯留空間
４１  満量センサ
ａ  木質ペレット
ｃ  燃焼風
【図１】
2007040542.tif 000003
【図２】
2007040542.tif 000004
【図３】
2007040542.tif 000005
【図４】
2007040542.tif 000006
【図５】
2007040542.tif 000007